(57)【要約】【課題】  幅寸法を小さくすることが可能な窓用巻取装置の一例を開示する。【解決手段】  巻取機構１３は、無端状のローラチェーン１４が描く形状（本実施形態では、長円状）にワイヤー５Ａを巻き取るための機構である。ローラチェーン１４は、無端状の環状体の一例であって、ワイヤー５Ａの一端が直接的又は間接的に連結されている。これにより、長円の短径方向が窓用巻取装置１０の幅方向と一致した構成であれば、窓用巻取装置１０の幅寸法は、円筒状の巻取ドラムを備える従来の窓用巻取装置の幅方向寸法より小さくなる。【選択図】図４
2019138105.tif 000002
【特許請求の範囲】
【請求項１】
窓を開閉するためのワイヤーを巻き取る窓用巻取装置において、
無端状の環状体であって、前記ワイヤーの一端が直接的又は間接的に連結された環状体と、
前記環状体が掛け渡された第１回転体及び第２回転体であって、互いに離隔した位置に配置された第１回転体及び第２回転体と、
前記ワイヤーが巻き取られる向きに前記環状体を回転させるための駆動部と
を備える窓用巻取装置。
【請求項２】
前記第１回転体の回転中心軸線を中心に湾曲した外周面を有する第１巻取部材と、
前記第２回転体の回転中心軸線を中心に湾曲した外周面を有する第２巻取部材とを備え、
前記環状体はローラチェーンであり、
前記第１回転体及び前記第２回転体は、当該ローラチェーンと噛み合って回転するスプロケットであり、
さらに、前記ワイヤーが巻き取られると、当該ワイヤーは、前記第１巻取部材の外周面及び前記第２巻取部材の外周面に掛け渡された状態で巻き取られる請求項１に記載の窓用巻取装置。
【請求項３】
前記第１巻取部材は、前記第１回転体の回転中心軸線を中心に回転可能な回転体であって、当該第１巻取部材の外周面は、前記第１回転体の回転中心軸線を中心とする円周面であり、
前記第２巻取部材は、前記第２回転体の回転中心軸線を中心に回転可能な回転体であって、当該第２巻取部材の外周面は、前記第２回転体の回転中心軸線を中心とする円周面である請求項２に記載の窓用巻取装置。
【請求項４】
前記第１巻取部材は、前記第１回転体と同期して回転するように構成されており、
前記第２巻取部材は、前記第２回転体と同期して回転するように構成されている請求項３に記載の窓用巻取装置。
【発明の詳細な説明】
【技術分野】
【０００１】
本開示は、窓を開閉するためのワイヤーを巻き取る窓用巻取装置に関する。
【背景技術】
【０００２】
窓用巻取装置のワイヤーは、例えば特許文献１に記載されているように、円筒状又は円柱状の巻取ドラムに巻き取られる。
【先行技術文献】
【特許文献】
【０００３】
【特許文献１】登録実用新案第３２１０２２１号公報
【発明の概要】
【発明が解決しようとする課題】
【０００４】
円筒状又は円柱状の巻取ドラムを備える窓用巻取装置の幅寸法は、巻取ドラムの直径寸法より大きい。したがって、特許文献１に記載の窓用巻取装置では、窓用巻取装置の幅寸法を小さくすることが難しい。
【０００５】
本願は、上記点に鑑み、幅寸法を小さくすることが可能な窓用巻取装置の一例を開示する。
【課題を解決するための手段】
【０００６】
窓用巻取装置は、例えば、無端状の環状体（１４）であってワイヤー（５Ａ）の一端が連結された環状体（１４）と、環状体（１４）が掛け渡された第１回転体（１５Ａ）及び第２回転体（１５Ｂ）であって、互いに離隔した位置に配置された第１回転体（１５Ａ）及び第２回転体（１５Ｂ）と、ワイヤー（５Ａ）が巻き取られる向きに環状体（１４）を回転させるための駆動部（１６）とを備えることが望ましい。
【０００７】
これにより、当該窓用巻取装置では、ワイヤー（５Ａ）が巻き取られる向きに環状体（１４）が回転すると、当該ワイヤー（５Ａ）は、環状体（１４）が描く形状（例えば、長円状）に巻き取られていく。
【０００８】
すなわち仮に、環状体（１４）の周長が、円筒部材に構成された巻取ドラムの周長と同一長さである場合においては、環状体（１４）が一回転する際に巻き取られるワイヤー（５Ａ）の長さと円筒状の巻取ドラムが一回転する際に巻き取られるワイヤーの長さとは同一長さである。
【０００９】
環状体（１４）は、第１回転体（１５Ａ）及び第２回転体（１５Ｂ）に掛け渡された状態で回転するので、環状体（１４）が描く形状は円状ではなく、少なくとも２つの直線状の部分及び少なくとも２つの円弧状の部分を備えた形状（例えば、長円状）となる。
【００１０】
したがって、例えば、当該長円の短径方向が当該窓用巻取装置の幅方向と一致した構成であれば、当該窓用巻取装置の幅寸法は、円筒状の巻取ドラムを備える従来の窓用巻取装置の幅方向寸法より小さくなる。
【００１１】
つまり、当該窓用巻取装置は、従来の窓用巻取装置と同等以上の長さのワイヤー（５Ａ）を巻き取ることが可能であって、かつ、幅方向寸法が従来の窓用巻取装置より小さくなり得る。
【００１２】
因みに、上記各括弧内の符号は、後述する実施形態に記載の具体的構成等との対応関係を示す一例であり、本発明は上記括弧内の符号に示された具体的構成等に限定されるもではない。
【図面の簡単な説明】
【００１３】
【図１】排煙窓の概要を示す図である。
【図２】第１実施形態に係る窓用巻取装置の構造を示す図である。
【図３】第１実施形態に係る窓用巻取装置の正面を示す図である。
【図４】第１実施形態に係る窓用巻取装置の構造を示す図である。
【図５】第１実施形態に係る窓用巻取装置の構造を示す図である。
【図６】第１実施形態に係る窓用巻取装置の構造を示す図である。
【図７】第２実施形態に係る窓用巻取装置の構造を示す図である。
【図８】第２実施形態に係る窓用巻取装置の構造を示す図である。
【発明を実施するための形態】
【００１４】
以下の「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１５】
なお、各図に付された方向を示す矢印等は、各図相互の関係を理解し易くするために記載されたものである。本明細書に記載された発明は、各図に付された方向に限定されるものではない。
【００１６】
少なくとも符号を付して説明した部材又は部位は、「１つの」等の断りがある場合を除き、少なくとも１つ設けられている。つまり、「１つの」等の断りがない場合には、当該部材は２以上設けられていてもよい。
【００１７】
（第１実施形態）
１．窓開閉装置の概要
本実施形態は、図１に示されるように、排煙窓１に適用される窓用巻取装置１０の一例である。排煙窓１は、窓枠３、障子５及びステイダンパー７等を有して構成されている。窓枠３は、排煙窓１の開口を縁取る枠部である。
【００１８】
当該窓枠３は、少なくとも２本の縦枠部３Ａ、３Ｂ、及び少なくとも２本の横枠部３Ｃ、３Ｄ等を有して構成されている。縦枠部３Ａ、３Ｂは上下方向に延びる桟である。横枠部３Ｃ、３Ｄは水平方向に延びる横桟である。縦枠部３Ａ、３Ｂ及び横枠部３Ｃ、３Ｄは、アルミニウム等の軽金属製である。
【００１９】
障子５は、横枠部３Ｄより上部の開口を閉塞するための部材であって、ヒンジ（図示せず。）を介して窓枠３（本実施形態では、横枠部３Ｄ）に揺動可能に連結されている。なお、横枠部３Ｄより下部の開口には、ガラス板等のパネル材が当該開口に嵌め込まれた状態で固定されている。
【００２０】
ステイダンパー７は、障子５を窓枠３から離間させる力（以下、離間力という。）を発揮する部材である。本実施形態に係る排煙窓１は、２本のステイダンパー７を有している。各ステイダンパー７の一端側は、縦枠部３Ａ、３Ｂそれぞれに装着されている。
【００２１】
窓用巻取装置１０はワイヤー５Ａを巻き取るための装置である。ワイヤー５Ａは、障子５を揺動させるための索体である。ワイヤー５Ａが窓用巻取装置１０に巻き取られると、障子５は窓枠３に近づくように揺動変位して上記開口、つまり排煙窓１が閉じた状態となる。
【００２２】
窓用巻取装置１０に巻き取られたワイヤー５Ａが開放されると、各ステイダンパー７が発揮する離間力により、障子５が窓枠３から離間するように揺動変位して上記開口、つまり排煙窓１が開いた状態（図１に示す状態）となる。
【００２３】
２．窓用巻取装置
２．１  窓用巻取装置の概要
本実施形態に係る窓用巻取装置１０は縦枠部３Ａ内に収納されている（図１参照）。当該窓用巻取装置１０は、図２に示されるように、基材１１、フェイスプレート１２及び巻取機構１３等を有して構成されている。
【００２４】
本実施形態に係る基材１１は、第１ベースプレート１１Ａ、第２ベースプレート１１Ｂ及びブロック部１１Ｃ等を有して構成されている。第１ベースプレート１１Ａと第２ベースプレート１１Ｂとは、帯板状の部材であって、巻取機構１３を挟むように互いに対向配置されている。
【００２５】
ブロック部１１Ｃは、第１ベースプレート１１Ａと第２ベースプレート１１Ｂとにより挟まれた状態で、第１ベースプレート１１Ａ及び第２ベースプレート１１Ｂにねじ等の締結具により固定されている。
【００２６】
フェイスプレート１２は、縦枠部３Ａの室内側に装着されて基材１１（本実施形態では、第２ベースプレート１１Ｂ）を覆うカバーである。フェイスプレート１２には、図３に示されるように、操作ボタン１２Ａ及びハンドル挿入部１２Ｂに連通する貫通穴が設けられている。
【００２７】
操作ボタン１２Ａは操作員に操作される操作部である。当該操作ボタン１２Ａが操作員により押圧操作されると、窓用巻取装置１０、つまり巻取機構１３に巻き取られたワイヤー５Ａが開放されて排煙窓１が開く。
【００２８】
ハンドル挿入部１２Ｂは、巻取ハンドル（図示せず。）が着脱自在に挿入可能な部位である。ハンドル挿入部１２Ｂに巻取ハンドルが装着された状態で、操作員が当該巻取ハンドルを回転操作すると、開放されているワイヤー５Ａが巻取機構１３に巻き取られる。
【００２９】
ワイヤー５Ａが巻取機構１３に巻き取られると、障子５が窓枠３に近づいて行くため、排煙窓１が閉じた状態となる。なお、操作ボタン１２Ａ及びハンドル挿入部１２Ｂは、基材１１に装着されている。
【００３０】
２．２  巻取機構
巻取機構１３はワイヤー５Ａを巻き取るための機構である。当該巻取機構１３は、図４に示されるように、無端状のローラチェーン１４が描く形状（本実施形態では、長円状）にワイヤー５Ａを巻き取るための機構である。ローラチェーン１４は、無端状の環状体の一例であって、図５に示されるように、ワイヤー５Ａの一端が直接的又は間接的に連結されている。
【００３１】
すなわち、巻取機構１３は、図２に示されるように、１本のローラチェーン１４、第１スプロケット１５Ａ、第２スプロケット１５Ｂ、並びに駆動部１６等を少なくとも有して構成されている。
【００３２】
第１スプロケット１５Ａ及び第２スプロケット１５Ｂは、第１回転体及び第２回転体の一例である。２つのスプロケット１５Ａ、１５Ｂは、互いに離隔した位置に配置されている。当該２つのスプロケット１５Ａ、１５Ｂにはローラチェーン１４が掛け渡されている。なお、２つのスプロケット１５Ａ、１５Ｂの回転中心間距離は、ローラチェーン１４が描く長円形状の直線部分長さに等しい。
【００３３】
駆動部１６は、ワイヤー５Ａが巻き取られる向き（以下、巻取向きという。）にローラチェーン１４を回転させるための機構である。当該駆動部１６は、第１歯車１６Ａ及び第２歯車１６Ｂ等を少なくとも有する。
【００３４】
第１歯車１６Ａは第１スプロケット１５Ａと一体的に回転する平歯車である。第２歯車１６Ｂは、ハンドル挿入部１２Ｂと一体的に回転するとともに、第１歯車１６Ａと噛み合う平歯車である。
【００３５】
このため、ハンドル挿入部１２Ｂに巻取ハンドルが装着された状態で、操作員が当該巻取ハンドルを巻取向きに回転操作すると、当該回転が第１スプロケット１５Ａに伝達される。したがって、ローラチェーン１４が巻取向きに回転する。なお、第２スプロケット１５Ｂは、ローラチェーン１４の回転に従動して回転する。
【００３６】
遠心ブレーキ１６Ｃは、第１スプロケット１５Ａの回転速が過度に大きくなることを抑止するための制動装置である。つまり、遠心ブレーキ１６Ｃは、第１スプロケット１５Ａの回転速の増大に応じて制動力が大きくなる制動装置である。
【００３７】
これにより、ワイヤー５Ａが開放される向き（以下、開放向きという。）に第１スプロケット１５Ａが回転したときに、第１スプロケット１５Ａの回転速が過度に大きくなることが抑制される。なお、第１スプロケット１５Ａが巻取向きに回転する際の回転速は小さいので、遠心ブレーキ１６Ｃで発生する制動力は略０である。
【００３８】
ローラチェーン１４が巻取向きに回転すると、図５に示されるように、ワイヤー５Ａは、第１巻取ドラム１７の外周面１７Ａ及び第２巻取ドラム１８の外周面１８Ａに掛け渡された状態で巻き取られる。
【００３９】
すなわち、第１巻取ドラム１７の外周面１７Ａは、第１スプロケット１５Ａの回転中心軸線Ｌ１を中心に湾曲した円筒又は円柱の外周面である。第２巻取ドラム１８の外周面１８Ａは、第２スプロケット１５Ｂの回転中心軸線Ｌ２を中心に湾曲した円筒又は円柱の外周面である。
【００４０】
第１巻取ドラム１７は、第１スプロケット１５Ａの回転中心軸線Ｌ１を中心に回転可能な第１巻取部材の一例である。このため、第１巻取ドラム１７の外周面１７Ａは、第１スプロケット１５Ａの回転中心軸線Ｌ１を中心とする円周面となる。なお、本実施形態に係る外周面１７Ａは、円錐状の円周面である。
【００４１】
第２巻取ドラム１８は、第２スプロケット１５Ｂの回転中心軸線Ｌ２を中心に回転可能な第２巻取部材の一例である。このため、第２巻取ドラム１８の外周面１８Ａは、第２スプロケット１５Ｂの回転中心軸線Ｌ２を中心とする円周面となる。なお、本実施形態に係る外周面１８Ａは、円錐状の円周面である。
【００４２】
なお、本実施形態に係る第１巻取ドラム１７は、第１スプロケット１５Ａと一体化されて当該第１スプロケット１５Ａと同期して回転する。同様に、第２巻取ドラム１８は、第２スプロケット１５Ｂに一体化されて当該第２スプロケット１５Ｂと同期して回転する。
【００４３】
図６に示されるラチェット機構１９は、第１スプロケット１５Ａを規制状態とする場合と解除状態とする場合とを切り換えるための装置である。規制状態では、第１スプロケット１５Ａは開放向きに回転できない。解除状態は規制状態が解除された状態である。
【００４４】
なお、第１スプロケット１５Ａは、ラチェット機構１９の状態を問わず、常に巻取向きに回転可能である。ラチェット機構１９は、ラチェット用歯車１９Ａ及び歯止め１９Ｂ等を有して構成されている。ラチェット用歯車１９Ａは、第１スプロケット１５Ａと一体的に正転及び逆転する。
【００４５】
歯止め１９Ｂは、ラチェット用歯車１９Ａに引っ掛かるように係合する規制位置（実線で示される位置）と当該係合位置から離間した解除位置（二点鎖線で示される位置）との間で変位可能である。
【００４６】
操作ボタン１２Ａが操作されると、作動部材１９Ｃが実線で示される位置から二点鎖線で示される位置に移動し、歯止め１９Ｂが規制位置から解除位置に変位する。歯止め１９Ｂが解除位置になると、第１スプロケット１５Ａが解除状態となる。
【００４７】
ハンドル挿入部１２Ｂに巻取ハンドルが装着されると、復帰スライダ１９Ｄ（図２参照）が変位し、作動部材１９Ｃ及び歯止め１９Ｂが実線で示される位置、つまり規制位置に復帰する。このため、第１スプロケット１５Ａが規制状態となる。
【００４８】
３．本実施形態に係る窓用巻取装置の特徴
仮に、ローラチェーン１４の周長が、円筒部材に構成された巻取ドラムの周長と同一長さである場合においては、ローラチェーン１４が一回転する際に巻き取られるワイヤー５Ａの長さと円筒状の巻取ドラムが一回転する際に巻き取られるワイヤーの長さとは同一長さである。
【００４９】
ローラチェーン１４は、第１スプロケット１５Ａ及び第２スプロケット１５Ｂに掛け渡された状態で回転するので、ローラチェーン１４が描く形状は円状ではなく、少なくとも２つの直線状の部分及び少なくとも２つの円弧状の部分を備えた形状、つまり長円状となる。
【００５０】
そして、本実施形態に係る窓用巻取装置１０では、巻取向きにローラチェーン１４が回転すると、ワイヤー５Ａは、ローラチェーン１４が描く形状、つまり長円状に巻き取られていく。
【００５１】
したがって、当該長円の短径方向が当該窓用巻取装置１０の幅方向（本実施形態では、水平方向）と一致した構成であれば、当該窓用巻取装置１０の幅寸法は、円筒状の巻取ドラムを備える従来の窓用巻取装置の幅方向寸法より小さくなる。
【００５２】
つまり、本実施形態に係る窓用巻取装置１０は、従来の窓用巻取装置と同等以上の長さのワイヤー５Ａを巻き取ることが可能であって、かつ、幅方向寸法が従来の窓用巻取装置より小さくなり得る。
【００５３】
本実施形態に係る窓用巻取装置１０では、第１巻取ドラム１７及び第２巻取ドラム１８が回転可能である。これにより、ワイヤー５Ａが窓用巻取装置１０から開放されるとき、及びワイヤー５Ａが窓用巻取装置１０に巻き取られるときに、第１巻取ドラム１７の外周面１７Ａ及び第２巻取ドラム１８の外周面１８Ａで大きな抵抗が発生することが抑制される。
【００５４】
本実施形態に係る窓用巻取装置１０では、第１巻取ドラム１７は第１スプロケット１５Ａと同期して回転し、第２巻取ドラム１８は第２スプロケット１５Ｂと同期して回転する。これにより、ローラチェーン１４の回転に同期させて第１巻取ドラム１７及び第２巻取ドラム１８を回転させることができる。
【００５５】
延いては、本実施形態に係る窓用巻取装置１０では、ワイヤー５Ａが窓用巻取装置１０から開放されるとき、及びワイヤー５Ａが窓用巻取装置１０に巻き取られるときに、第１巻取ドラム１７の外周面１７Ａ及び第２巻取ドラム１８の外周面１８Ａで大きな抵抗が発生することが確実に抑制される。
【００５６】
（第２実施形態）
上述の実施形態では、ワイヤー５Ａが第１巻取ドラム１７及び第２巻取ドラム１８に掛け渡されるように巻き取られる構成であった。しかし、本実施形態に係る窓用巻取装置１０では、図７に示されるように、ローラチェーン１４それ自体にワイヤー５Ａが巻き取られるように構成されている。
【００５７】
具体的では、図８に示されるように、ローラチェーン１４を構成する各プレート１４Ａには、断面形状が略Ｕ字状又は略コの状に構成されたフランジ体１４Ｂが固定されている。これにより、ローラチェーン１４それ自体がボビン（糸巻き）として機能する。
【００５８】
なお、上述の実施形態と同一の構成要件等は、上述の実施形態と同一の符号を付したので、重複する説明は省略する。
（その他の実施形態）
上述の実施形態に係る環状体は、ローラチェーン１４にて構成されていた。しかし、本願明細書に開示された発明はこれに限定されるものではない。すなわち、ローラチェーン以外のチェーン（例えば、サイレントチェーン）又はＶベルトや歯付きベルト等のベルト等にて環状体が構成されていてもよい。
【００５９】
上述の実施形態に係る第１巻取ドラム１７及び第２巻取ドラム１８は回転可能な構成であった。しかし、本願明細書に開示された発明はこれに限定されるものではない。すなわち、例えば、第１巻取ドラム１７及び第２巻取ドラム１８が回転不可な構成であってもよい。当該構成においては、外周面１７Ａ、１８Ａは少なくとも１８０度の範囲で設けられていれば十分である。
【００６０】
上述の実施形態では、ローラチェーン１４が描く形状が長円状であった。しかし、本願明細書に開示された発明はこれに限定されるものではない。すなわち、ローラチェーン１４が描く形状が、例えば、楕円状、紡錘体状及び多角形状等であってもよい。
【００６１】
上述の実施形態では、巻取向きにローラチェーン１４が回転すると、ワイヤー５Ａは、ローラチェーン１４が描く形状、つまり長円状に巻き取られていく構成の窓用巻取装置であった。しかし、本願明細書に開示された発明はこれに限定されるものではない。
【００６２】
すなわち、例えば、特開２０１３−２４９１８３号公報に記載のごとく、動滑車及び定滑車にワイヤー５Ａが掛け渡された窓用巻取装置であっても、幅寸法を小さくすることが可能な窓用巻取装置を得ることが可能である。
【００６３】
さらに、本発明は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【００６４】
１… 排煙窓  ３… 窓枠  ５… 障子  ５Ａ… ワイヤー  ７… ステイダンパー
１０… 窓用巻取装置  １１… 基材  １１Ａ… 第１ベースプレート
１１Ｂ… 第２ベースプレート  １１Ｃ… ブロック部
１２… フェイスプレート  １２Ａ… 操作ボタン  １２Ｂ… ハンドル挿入部
１３… 巻取機構  １４… ローラチェーン  １５Ａ… 第１スプロケット
１６Ｂ… 第２スプロケット  １６… 駆動部  １６Ａ… 第１歯車
１６Ｂ… 第２歯車  １６Ｃ… 遠心ブレーキ  １７… 第１巻取ドラム
１７Ａ… 外周面  １８… 第２巻取ドラム  １８Ａ… 外周面
１９… ラチェット機構  １９Ａ… ラチェット用歯車  １９Ｃ… 作動部材
１９Ｄ… 復帰スライダ
【図１】
2019138105.tif 000003
【図２】
2019138105.tif 000004
【図３】
2019138105.tif 000005
【図４】
2019138105.tif 000006
【図５】
2019138105.tif 000007
【図６】
2019138105.tif 000008
【図７】
2019138105.tif 000009
【図８】
2019138105.tif 000010